【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
問題とする領域中の腹部大動脈瘤を検出するためのシステムにおいて、
超音波エネルギを送出し、腹部大動脈瘤が存在する可能性がある前記問題とする領域からの複数の走査平面にわたる前記超音波エネルギのエコーを受信するように構成されている超音波トランシーバと、
前記受信されたエコーを信号処理し、前記複数の走査平面にわたる前記信号処理されたエコーを特徴付けし、前記信号処理されたエコーから腹部大動脈瘤を検出するように構成され、走査平面の利用可能性の割合が走査平面から受信されたエコーに基づいて計算され、更に、前記利用可能性の割合から前記超音波トランシーバの位置付け情報を計算するように構成されている処理装置と、
複数の走査平面に含まれる前記問題とする領域の前記利用可能性の割合の視覚的描写を提示するように構成されている少なくとも１つのディスプレイと、
を具備し、
前記少なくとも１つのディスプレイは、前記超音波トランシーバの前記位置付け情報を提示するように構成されている、システム。
【請求項２】
前記処理装置は、複数の走査平面の前記計算された利用可能性の割合が７５乃至１００％の利用可能性である問題とする領域の方に前記超音波トランシーバを位置付けるようにユーザを誘導する請求項１記載のシステム。
【請求項３】
前記処理装置は、Ｃモードコンポーネントと、Ｂモードコンポーネントと、Ａモードコンポーネントとのうちの少なくとも１つを含んでいる請求項１記載のシステム。
【請求項４】
腹部大動脈の問題とする領域中の腹部大動脈瘤を評価して監視するためのシステムにおいて、
３次元の超音波走査情報を得るために、超音波エネルギを送出し、腹部大動脈瘤が存在する可能性がある前記問題とする領域からの複数の走査平面にわたる前記超音波エネルギのエコーを受信するように構成されている少なくとも１つの超音波トランシーバと、
前記受信されたエコーを信号処理し、前記複数の走査平面にわたる前記信号処理されたエコーを特徴付けるように構成され、走査平面の利用可能性の割合が走査平面から受信されたエコーに基づいて計算され、更に、前記利用可能性の割合から前記超音波トランシーバの位置付け情報を計算し、前記走査平面の情報から大動脈の体積の情報を決定し、前記信号処理されたエコーから腹部大動脈瘤を検出するように構成されているプロセッサと、
前記超音波トランシーバから受信された位置付け情報を表示するように構成されていて、前記計算された利用可能性の割合の視覚的描写を行う少なくとも１つのディスプレイと、
前記計算された利用可能性の割合に基づいて、前記大動脈の問題とする領域の上方に前記超音波トランシーバを位置付けるようにユーザを誘導するように構成されている誘導手段と、
前記大動脈の体積の情報から前記問題とする領域における前記大動脈の直径を計算するように構成されている計算回路と、
を具備している、システム。
【請求項５】
前記誘導手段は、複数の走査平面に含まれる前記計算された利用可能性の割合が７５乃至１００％の利用可能性である問題とする領域の方に前記超音波トランシーバを位置付けるように前記ユーザを誘導する請求項４記載のシステム。
【請求項６】
腹部大動脈瘤を検出し測定する方法において、
腹部大動脈の部分へ超音波エネルギを送信し、
前記部分から反射した超音波エコーを収集し、
前記超音波エコーから信号を発生し、
前記発生された信号から基本信号を識別し、
基本信号用に設計されたアルゴリズムを使用して前記基本信号を処理し、
前記部分の体積を計算し、
前記部分の前記計算された体積から前記部分の直径を計算し、
前記超音波エコーから腹部大動脈瘤を検出し、
前記基本信号に関連する利用可能性の割合を計算し、
前記利用可能性の割合の視覚描写を提示し、
前記利用可能性の割合が最大化される超音波トランシーバの位置をユーザに知らせるステップを含んでいる、方法。
【請求項７】
誘導手段は、前記部分の前記体積を測定するために少なくとも１つの位置へ前記超音波トランシーバを位置付けるように前記ユーザを誘導する請求項６記載の方法。
【請求項８】
腹部大動脈瘤を検出し測定する方法を実行するための指令を有する非一時的なコンピュータの読取り可能な媒体において、
腹部大動脈の部分へ超音波エネルギを送信し、
前記部分から反射した超音波エコーを収集し、
前記超音波エコーから信号を発生し、
前記発生された信号から基本信号を識別し、
基本信号用に設計されたアルゴリズムを使用して前記基本信号を処理し、
前記部分の体積を計算し、
前記部分の前記計算された体積から前記部分の前記直径を計算し、
前記超音波エコーから腹部大動脈瘤を検出し、
前記基本信号に関連する利用可能性の割合を計算し、
前記利用可能性の割合の視覚描写を提示し、
前記利用可能性の割合が最大化される超音波送信装置の位置をユーザに知らせるステップを含んでいる、非一時的なコンピュータの読取り可能な媒体。
【手続補正２】
【補正対象書類名】明細書
【補正対象項目名】００８５
【補正方法】変更
【補正の内容】
【００８５】
本発明の好ましい実施形態を前述したように示し説明したが、多くの変更が本発明の技術的範囲を逸脱せずに行われることができる。例えば種々の変化、変更、置換が腹部大動脈の超音波、体積決定を実現し、したがってそれを大動脈直径の読取りに適用するために装置の実施形態で行われることが理解されるべきである。したがって、本発明の技術的範囲は好ましい実施形態の開示により限定されない。
以下に、本願出願時の特許請求の範囲に記載された発明を付記する。
［１］問題とする領域中の腹部大動脈瘤を検出するためのシステムにおいて、
超音波エネルギを送出し、複数の走査平面を横切って前記超音波エネルギのエコーを受信するように位置されている超音波トランシーバと、
前記受信されたエコーを信号処理し、前記複数の走査平面を横切って検出された信号を特徴付けし、走査される走査平面の利用可能性の割合が走査平面から受信されたエコーに基づいて計算される処理装置と、
複数の走査平面に含まれる問題とする領域の前記利用可能性の割合の視覚描写を提示するように構成されているディスプレイと、
前記利用可能性の割合の前記視覚描写に基づいて前記超音波トランシーバの位置付け情報を提示するように構成されているディスプレイとを具備しているシステム。
［２］前記処理装置は、複数の走査線の前記計算された利用可能性の割合が７５−１００％の利用可能性である問題とする領域の方向に前記超音波トランシーバを位置させるようにユーザを誘導する前記［１］記載のシステム。
［３］前記処理装置はＣモードコンポーネント、Ｂモードコンポーネント、Ａモードコンポーネントのうちの少なくとも１つを含んでいる前記［１］記載のシステム。
［４］腹部大動脈瘤評価および腹部大動脈の問題とする領域を監視するためのシステムにおいて、
３次元の超音波走査情報を得るために、超音波エネルギを送出し、複数の走査平面を横切って前記超音波エネルギのエコーを受信する少なくとも１つの超音波トランシーバを具備するハンドヘルドデータ収集装置と、
前記腹部大動脈の第１の測定された位置で前記超音波トランシーバから受信された位置付け情報を指示し、前記第１の測定された位置の利用可能性の計算された割合の視覚指示を行うディスプレイ手段と、
前記計算された利用可能性の割合に基づいて、前記大動脈の問題とする領域にわたって前期超音波トランシーバを位置付けるようにユーザを誘導する誘導手段と、
前記トランシーバから得られた問題とする領域についての前記受信された操作平面情報を変換するためのプロセッサと、
前記変換された走査平面情報から大動脈の体積情報を決定するためのプロセッサと、
前記大動脈の体積情報から前記問題とする領域における前記大動脈の直径を計算するための計算回路とを具備しているシステム。
［５］前記誘導手段は、複数の走査平面に含まれる前記計算された利用可能性の割合が７５乃至１００％の利用可能性である問題とする領域の方向に前記超音波トランシーバを位置付けるようにユーザを誘導する前記［４］記載のシステム。
［６］腹部大動脈瘤を検出し測定する方法において、
前記腹部大動脈へ超音波エネルギを送信し、
前記腹部大動脈から反射された超音波エコーを収集し、
前記超音波エコーから信号を発生し、
前記発生された信号から基本信号を識別し、
基本信号用に設計されたアルゴリズムを使用して前記基本信号を処理し、
前記腹部大動脈の問題とする領域の画像を提示し、
前記腹部大動脈の前記体積を計算し、
前記腹部大動脈の前記計算された体積から前記腹部大動脈の直径を計算するステップを含んでいる方法。
［７］前記誘導手段は、前記腹部大動脈の前記体積を測定するため少なくとも１つの位置へ前記超音波トランシーバを位置付けるようにユーザを誘導する前記［６］記載の方法。
［８］腹部大動脈瘤を検出し測定する方法を実行するための指令を有するコンピュータの読取り可能な媒体において、
前記腹部大動脈へ超音波エネルギを送信し、
前記腹部大動脈から反射された超音波エコーを収集し、
前記超音波エコーから信号を発生し、
前記発生された信号から基本信号を識別し、
基本信号用に設計されたアルゴリズムを使用して前記基本信号を処理し、
前記腹部大動脈の画像を提示し、
前記腹部大動脈の前記体積の測定を計算し、
前記腹部大動脈の前記計算された体積から前記腹部大動脈の前記直径の測定を計算するステップを含んでいるコンピュータの読取り可能な媒体。
［９］前記コンピュータの読取り可能な媒体はさらに、
利用可能ではない領域と利用可能な領域から反射された基本信号を比較し、利用可能性の割合を計算し、
前記計算された利用可能性の割合に基づいて、利用可能ではない領域と利用可能な領域の画像をユーザに提示し、
超音波送信装置の位置をユーザに指示し、それにおいて前記利用可能性の割合は最大にされるステップを実行する指令を具備している前記［８］記載のコンピュータの読取り可能な媒体。